(57)【要約】【課題】玄関子機の設置場所や設置角度や台数に関わらず、良好に輝度補正された画像を表示する。【解決手段】本開示の一態様に係るドアホン親機１００は、玄関子機２００から映像データを入力する映像データ入力部１１２と、映像データに含まれる画像を、画像の部分領域の明るさを示す特徴量に基づいてコントラスト補正する適応型画質補正部１１６と、コントラスト補正された画像を表示する表示出力部１２０と、を備え、部分領域は、画像の所定の座標を含み、部分領域の面積は、画像の面積の半分以下である。【選択図】図４
2019080135.tif 000002
【特許請求の範囲】
【請求項１】
玄関子機から映像データを入力する映像データ入力部と、
前記映像データに含まれる画像を、前記画像の部分領域の明るさを示す特徴量に基づいてコントラスト補正する適応型画質補正部と、
前記コントラスト補正された画像を表示する表示出力部と、
を備え、
前記部分領域は、前記画像の所定の座標を含み、前記部分領域の面積は、前記画像の面積の半分以下である、
ドアホン親機。
【請求項２】
前記適応型画質補正部は、前記特徴量を算出し、前記特徴量に基づいて、ＣＬＡＨＥ（Contrast Limited Adaptive Histogram Equalization）で用いられるダイナミックレンジを決定し、前記コントラスト補正として、前記ダイナミックレンジを元に前記ＣＬＡＨＥを実施する、請求項１に記載のドアホン親機。
【請求項３】
前記特徴量は、前記部分領域における輝度の平均値である、請求項１または２に記載のドアホン親機。
【請求項４】
前記所定の座標は、前記画像の中心である、請求項１から３のいずれかに記載のドアホン親機。
【請求項５】
前記部分領域の形状は、長方形であり、前記長方形の中心は、前記所定の座標であり、前記長方形の横幅および縦幅は、それぞれ、前記画像の横幅および縦幅の半分である、請求項１から４のいずれかに記載のドアホン親機。
【請求項６】
前記適応型画質補正部は、前記画像からグレースケール画像およびその他の成分画像を抽出し、
前記グレースケール画像を前記コントラスト補正し、前記コントラスト補正された前記グレースケール画像と前記その他の成分画像とを合成する、
請求項１から５のいずれかに記載のドアホン親機。
【請求項７】
玄関子機から映像データを入力するステップと、
前記映像データに含まれる画像を、前記画像の部分領域の明るさを示す特徴量に基づいてコントラスト補正するステップと、
前記コントラスト補正された画像を表示するステップと、
を備え、
前記部分領域は、前記画像の所定の座標を含み、前記部分領域の面積は、前記画像の面積の半分以下である、
画像補正方法。
【発明の詳細な説明】
【技術分野】
【０００１】
本開示は、ドアホン親機および画像補正方法に関する。
【背景技術】
【０００２】
近年、ＣＭＯＳ素子やＣＣＤ素子といった撮像素子の発展に伴い、在宅者が屋外にいる訪問者の画像を屋内にある表示装置で確認しながら通話することができるテレビドアホンが普及しつつある。時刻によって太陽の位置が変化するので、通常、屋外にいる被写体である訪問者の映像は、逆光の場合もあれば、順光の場合もある。
【０００３】
逆光時の映像においては、被写体が暗くなってしまうので、訪問者が誰であるかを在宅者が確認することが困難である。したがって、逆光時には、映像を逆光補正する必要がある。そこで、特別なハードウェアを使用しないソフトウェアによる逆光補正の手法が提案されている（特許文献１）。
【先行技術文献】
【特許文献】
【０００４】
【特許文献１】特開２０１１−１７６６０５号公報
【発明の概要】
【発明が解決しようとする課題】
【０００５】
特許文献１の手法においては、玄関子機が、ガンマ補正用トーンカーブを用いてコントラスト補正を行うコントラスト処理部を備える。したがって、玄関子機の設置場所や設置角度が変更された場合、ユーザが最適なガンマ補正用トーンカーブを変更する必要がある。また、複数の玄関子機が使用される場合、玄関子機の設置場所や設置角度がそれぞれ異なるので、最適なガンマ補正用トーンカーブも玄関子機毎に異なる。したがって、ユーザがガンマ補正用トーンカーブ等の逆光補正値を玄関子機毎に設定する必要がある。
【０００６】
本開示の非限定的な実施例は、玄関子機の設置場所や設置角度や台数に関わらず、良好に輝度補正された画像を表示する、改善されたドアホン親機および画像補正方法の提供に資する。
【課題を解決するための手段】
【０００７】
本開示の一態様に係るドアホン親機は、玄関子機から映像データを入力する映像データ入力部と、前記映像データに含まれる画像を、前記画像の部分領域の明るさを示す特徴量に基づいてコントラスト補正する適応型画質補正部と、前記コントラスト補正された画像を表示する表示出力部と、を備え、前記部分領域は、前記画像の所定の座標を含み、前記部分領域の面積は、前記画像の面積の半分以下である構成を採る。
【０００８】
本開示の一態様に係る画像補正方法は、玄関子機から映像データを入力するステップと、前記映像データに含まれる画像を、前記画像の部分領域の明るさを示す特徴量に基づいてコントラスト補正するステップと、前記コントラスト補正された画像を表示するステップと、を備え、前記部分領域は、前記画像の所定の座標を含み、前記部分領域の面積は、前記画像の面積の半分以下である構成を採る。
【０００９】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１０】
本開示の一態様によれば、玄関子機の設置場所や設置角度や台数に関わらず、良好に輝度補正された画像を表示することができる。
【００１１】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１２】
【図１】太陽と被写体と玄関子機との位置関係の一例を示す説明図
【図２Ａ】従来技術に係る逆光時の映像の一例
【図２Ｂ】従来技術に係る順光時の映像の一例
【図３】本開示に係るドアホンシステムの一例を示す概要図
【図４】本開示に係るドアホン親機の一例を示す構成図
【図５】本開示に係る玄関子機の一例を示す構成図
【図６】本開示に係る映像データのフローの一例を示すシーケンス図
【図７】本開示に係る適応型画質補正の動作の一例を示すフローチャート
【図８】本開示に係る適応型画質補正前のグレースケール画像の一例
【図９】本開示に係る適応型画質補正の部分領域の一例を示す説明図
【図１０】本開示に係る適応型画質補正後のグレースケール画像の一例
【発明を実施するための形態】
【００１３】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、添付図面および以下の説明は、当業者が本開示を十分に理解するために、提供されるのであって、これらにより特許請求の範囲に記載の主題を限定することは意図されていない。
【００１５】
（本開示に至った経緯）
一般に、ドアホンシステムでは、カメラ付きの玄関子機を玄関や門柱に設置する。しかしながら、設置場所によっては、太陽光による逆光等で、訪問者の顔を確認するのが困難な状況になる。
【００１６】
図１は、太陽と被写体Ｐ（訪問者）と玄関子機２００との位置関係の一例を示す説明図である。図２Ａは、従来技術に係る逆光時の映像Ｉ３Ａの一例を示す。図２Ｂは、従来技術に係る順光時の映像Ｉ３Ｂの一例を示す。図１において、太陽が位置Ｐ１にある場合、テレビドアホンの玄関子機２００が撮像する被写体Ｐの映像Ｉ３Ａは、図２Ａに示されるように逆光であり、背景Ａ１は明るく、被写体Ｐの上半身Ａ２および被写体Ｐの頭部Ａ３は暗い。この場合、映像Ｉ３Ａを見る在宅者には、訪問者の頭部Ａ３が黒くつぶれて見えるので、在宅者は、訪問者の顔を確認するのが困難である。それ故、一般に、ドアホンシステムにおいて、映像Ｉ３Ａを逆光補正する。
【００１７】
一方、図１において、太陽が位置Ｐ２にある場合、テレビドアホンの玄関子機２００が撮像する被写体Ｐの映像Ｉ３Ｂは、図２Ｂに示されるように順光であり、背景Ａ１は暗く、被写体Ｐの上半身Ａ２および被写体Ｐの頭部Ａ３は明るい。このような太陽光等の時間によって変動する要因に対処するためには、逆光補正の設定値を時間に応じて調整する必要がある。しかしながら、このような作業は、在宅者等のユーザにとって非常に煩わしい。
【００１８】
また、複数のカメラ付きの玄関子機を玄関や門柱に設置する場合、逆光補正の設定値もそれぞれの玄関子機に合わせて調整する必要がある。しかしながら、このような作業も、ユーザにとって非常に煩わしい。
【００１９】
本発明者は、上記の課題に着目し、この課題を解決すべく本開示に至った。
【００２０】
（第１の実施の形態）
図３は、本開示に係るドアホンシステム１０の一例を示す概要図である。
【００２１】
ドアホンシステム１０は、ドアホン親機（ドアホン親機）１００と、玄関子機２００とを備える。玄関子機２００の台数は、１以上の任意の数である。ドアホン子機２００は、それぞれ、ドアホン親機１００と接続されている。
【００２２】
ドアホン親機１００および玄関子機２００は、それぞれのユーザが、互いに相手の画像を見ながら通話をする手段を提供する。例えば、ドアホン親機１００のユーザは、ドアホンシステム１０を設置した家の中にいる在宅者であり、玄関子機２００のユーザは、ドアホンシステム１０を設置した家への訪問者である。一例において、玄関子機２００は、設置位置および設置方向を除いて、同一の機能を有する。
【００２３】
図４は、本開示に係るドアホン親機１００の一例を示す構成図である。ドアホン親機１００は、映像処理部１１０と、表示出力部１２０と、音声処理部１３０と、音声出力部１４０と、音声入力部１５０と、呼制御部１６０と、を備える。
【００２４】
映像処理部１１０は、入力された映像データを処理し、表示出力部１２０が表示する画像を生成する。映像処理部１１０は、映像データ入力部１１２と、映像データデコード部１１４と、適応型画質補正部１１６とを備える。
【００２５】
映像データ入力部１１２は、ストリーミング形式の映像データを玄関子機２００から入力する。一例において、映像データは、デジタル形式のデータである。他の一例において、映像データは、アナログ形式のデータである。
【００２６】
映像データデコード部１１４は、ストリーミング形式の映像データを静止画データに変換する。静止画データは、表示出力部１２０に表示される画像のデータとして使用される。
【００２７】
適応型画質補正部１１６は、静止画データを元に、画像の輝度を調節する。一例において、適応型画質補正部１１６は、部分領域の明るさを示す特徴量を算出し、算出された特徴量に基づいて、画像の輝度を調節する。ここで、部分領域は、画像内の領域であって、特徴量を算出する対象となる領域である。また、部分領域の明るさを示す特徴量は、例えば、部分領域に含まれる画素の輝度の平均値である。画像の輝度を調節する処理の詳細については、図６から図１０を参照して後述する。
【００２８】
表示出力部１２０は、輝度が調節された画像を表示する。表示出力部は、例えば、ＬＣＤ表示装置またはＯＬＥＤ表示装置である。
【００２９】
音声処理部１３０は、音声入力部１５０から入力した音声を表すリニア形式の電気信号を処理し、音声データを出力する。さらに、音声処理部１３０は、玄関子機２００から入力した音声データを処理し、音声を表すリニア形式の電気信号を出力する。音声処理部１３０は、音声データ入力部１３２と、音声データデコード部１３４と、音声データエンコード部１３６と、音声データ出力部１３８と、を備える。
【００３０】
音声データ入力部１３２は、玄関子機２００から音声データを入力する。音声データは、例えば、訪問者が玄関子機２００に向かって話しかけた声を表す。
【００３１】
音声データデコード部１３４は、玄関子機２００から入力した音声データをデコードし、音声を表すリニア形式の電気信号を出力する。一例において、デコードは、デジタル−アナログ変換である。デコードの方式は、玄関子機２００の音声データエンコード部２２６（図５参照）が使用するエンコードの方式に対応する。
【００３２】
音声データエンコード部１３６は、音声入力部１５０から入力された音声を表すリニア形式の電気信号をエンコードし、音声データを出力する。一例において、エンコードは、アナログ−デジタル変換である。エンコードの方式は、玄関子機２００の音声データデコード部２２４（図５参照）が使用するデコードの方式に対応する。
【００３３】
音声データ出力部１３８は、音声データエンコード部１３６から入力した音声データを玄関子機２００に出力する。
【００３４】
音声出力部１４０は、呼制御部１６０または音声処理部１３０から入力した音声を表すリニア形式の電気信号を音声に変換し、ドアホン親機１００の外部に向けて出力するスピーカである。
【００３５】
音声入力部１５０は、ドアホン親機１００の周辺の音声をリニア形式の電気信号に変換するマイクロフォンである。
【００３６】
呼制御部１６０は、玄関子機２００からの呼を制御する。呼制御部１６０は、着信処理部１６２と、待機処理部１６４と、通話処理部１６６と、を備える。
【００３７】
着信処理部１６２は、玄関子機２００からの着信を処理する。一例において、着信処理部１６２は、玄関子機２００からの着信の通知に応じて、待機処理部１６４に着信を通知する。
【００３８】
待機処理部１６４は、玄関子機２００からの着信から、ドアホン親機１００と玄関子機２００との間の通話の開始までの処理（待機処理）を行う。一例において、待機処理部１６４は、着信処理部１６２からの着信の通知に応じて、音声出力部１４０への呼出音を表すリニア形式の電気信号の出力を開始し、ドアホン親機１００と玄関子機２００との間の映像データの通信を開始する。また、一例において、待機処理部１６４は、ドアホン親機１００が備える応答ボタン（図示せず）の押下の検出に応じて、音声出力部１４０への呼出音を表すリニア形式の電気信号の出力を終了し、通話処理部１６６に応答を通知する。
【００３９】
通話処理部１６６は、ドアホン親機１００と玄関子機２００との間の通話を処理する。一例において、通話処理部１６６は、待機処理部１６４からの応答の通知に応じて、ドアホン親機１００と玄関子機２００との間の音声データの通信を開始する。また、一例において、通話処理部１６６は、呼終了の検出に応じて、ドアホン親機１００と玄関子機２００との間の映像データおよび音声データの通信を切断する。
【００４０】
図５は、本開示に係る玄関子機２００の一例を示す構成図である。簡潔のために、以下、玄関子機２００を一例にとって説明する。玄関子機２００は、映像生成部２１０と、音声処理部２２０と、音声出力部２３０と、音声入力部２４０と、制御部２５０と、を備える。
【００４１】
映像生成部２１０は、被写体の映像データを生成する。被写体は、例えば、玄関子機２００に向かって話しかけている訪問者である。映像生成部２１０は、撮像部２１２と、映像データエンコード部２１４と、映像データ出力部２１６と、を備える。
【００４２】
撮像部２１２は、被写体を撮像する。撮像部２１２は、例えば、ＣＭＯＳカメラまたはＣＣＤカメラである。
【００４３】
映像データエンコード部２１４は、撮像部２１２が撮像した被写体の映像データをストリーミング形式にエンコードする。一例において、エンコードの方式は、デジタル形式であり、例えば、ＭＰＥＧ−２形式またはＨ．２６４形式である。他の一例において、エンコードの方式は、アナログ形式である。
【００４４】
映像データ出力部２１６は、ストリーミング形式の映像データをドアホン親機１００に出力する。
【００４５】
音声処理部２２０は、音声入力部２４０から入力した音声を表すリニア形式の電気信号を処理し、音声データを出力する。さらに、音声処理部２２０は、ドアホン親機１００から入力した音声データを処理し、音声を表すリニア形式の電気信号を出力する。
【００４６】
音声処理部２２０は、音声データ入力部２２２と、音声データデコード部２２４と、音声データエンコード部２２６と、音声データ出力部２２８と、を備える。音声データ入力部２２２、音声データデコード部２２４、音声データエンコード部２２６、および音声データ出力部２２８は、それぞれ、ドアホン親機１００の音声データ入力部１３２、音声データデコード部１３４、音声データエンコード部１３６、および音声データ出力部１３８と同様の機能を備えるので、説明を省略する。
【００４７】
音声出力部２３０は、音声処理部２２０から入力した音声を表すリニア形式の電気信号を、音声に変換し、玄関子機２００の外部に向けて出力するスピーカである。
【００４８】
音声入力部２４０は、玄関子機２００の周辺の音声をリニア形式の電気信号に変換するマイクロフォンである。
【００４９】
制御部２５０は、映像生成部２１０と音声処理部２２０との動作を制御する。例えば、制御部２５０は、玄関子機２００が備える呼出ボタン（図示せず）の押下に応じて、ドアホン親機１００に着信を通知し、映像生成部２１０に映像データの出力を開始させ、音声処理部２２０に音声データの出力を開始させる。また、例えば、制御部２５０は、呼終了の検出に応じて、映像生成部２１０に映像データの出力を終了させ、音声処理部２２０に音声データの出力を終了させる。
【００５０】
図６は、本開示に係る映像データのフローの一例を示すシーケンス図である。図６に示されるように、本開示の特徴である適応型画質補正は、ドアホン親機１００が備える映像処理部１１０で行われる。適応型画質補正がドアホン親機１００側で行われることにより、複数の玄関子機２００とドアホン親機１００とが接続されている場合であっても、図９を参照して後述する逆光補正値を、複数の玄関子機２００にそれぞれ設定する手間をなくすことができる。
【００５１】
図７は、本開示に係る適応型画質補正の動作の一例を示すフローチャートである。
【００５２】
ステップＳ１１において、適応型画質補正部１１６は、入力された映像データより、グレースケール画像を抽出する。一例において、適応型画質補正部１１６は、入力されたＲＧＢ映像データを、ＨＳＶ色空間に変換し、Ｖ成分をグレースケール画像として抽出する。他の一例において、適応型画質補正部１１６は、入力されたＲＧＢ映像データを、ＨＬＳ色空間に変換し、Ｌ成分をグレースケール画像として抽出する。
【００５３】
図８は、本開示に係る適応型画質補正前のグレースケール画像Ｉ１の一例である。グレースケール画像Ｉ１には、例えば、背景Ａ１と、被写体の上半身Ａ２と、被写体の頭部Ａ３が映っている。映像Ｉ１は、典型的な逆光画像を示しており、背景Ａ１は、輝度が高く、被写体の上半身Ａ２および被写体の頭部Ａ３は、ともに輝度が低い。
【００５４】
再度、図７を参照する。ステップＳ１２において、適応型画質補正部１１６は、抽出されたグレースケール画像Ｉ１より、部分領域における輝度の平均値を算出する。ここでは、部分領域は、特徴量である輝度の平均値を算出する対象となるグレースケール画像Ｉ１内の領域に該当する。極端な明部および暗部がある逆光映像を破たんさせることなく補正するために、本開示においては、ステップＳ１４で後述するＣＬＡＨＥ（Contrast Limited Adaptive Histogram Equalization）と呼ばれる手法を用いる。ここで、ＣＬＡＨＥとは、映像データを複数の領域に分割して、分割された領域毎に局所的にヒストグラム平滑化を実施し、それぞれの領域の境界において、双一次内挿等の補間処理を行うことにより、コントラストを調整する手法である。
【００５５】
ＣＬＡＨＥを実施するに当たって、コントラスト調整をするためのダイナミックレンジ（または、クリップ制限値）を決定する必要がある。さらに、逆光の場合のように、コントラストが強い場合と、順光の場合のようにコントラストが弱い場合とは、ダイナミックレンジを変える必要がある。そこで、適応型画質補正部１１６は、環境に適したダイナミックレンジを決定するために、部分領域における輝度の平均値を算出し、算出した平均値に基づいてダイナミックレンジを決定する。
【００５６】
図９は、本開示に係る適応型画質補正の部分領域の一例を示す説明図である。一例において、部分領域は、グレースケール画像Ｉ１の中心を含む領域である。例えば、部分領域は、グレースケール画像Ｉ１の中心をその中心とする長方形のウィンドウＷの内部全体である。例えば、ウィンドウＷの横幅ｗは、グレースケール画像Ｉ１の横幅の半分である。また、例えば、ウィンドウＷの縦幅ｈは、グレースケール画像Ｉ１の縦幅の半分である。また、例えば、ウィンドウＷの左上隅Ｐの座標（ｗ０，ｈ０）は、（ｗ／２，ｈ／２）に等しい。
【００５７】
ダイナミックレンジを決定するための輝度の平均値としてグレースケール画像Ｉ１全体の輝度の平均値を用いると、逆光のように明暗のコントラストが強い場合、ダイナミックレンジが小さくなる傾向がある。一方、被写体を明瞭に表示するためには、比較的大きなダイナミックレンジが必要である。一般的にドアホンにおいては、被写体である訪問者は、グレースケール画像Ｉ１の中央にいることが多い。そこで、部分領域を、グレースケール画像Ｉ１全体ではなく、グレースケール画像Ｉ１の中心付近とすることにより、被写体の画像を明瞭に表示するのに適したダイナミックレンジが得られる。
【００５８】
なお、玄関子機２００の設置場所や設置角度によっては、被写体がグレースケール画像Ｉ１の中心から外れた位置に映ることも想定される。したがって、一例において、部分領域の位置を、あらかじめ設定することができる構成にしてもよい。
【００５９】
再度、図７を参照する。ステップＳ１３において、適応型画質補正部１１６は、算出した輝度の平均値に基づいて、ダイナミックレンジを決定する。
【００６０】
ステップＳ１４において、適応型画質補正部１１６は、抽出されたグレースケール画像データ全体に対して、決定されたダイナミックレンジを元にＣＬＡＨＥを実施する。
【００６１】
ステップＳ１５において、適応型画質補正部１１６は、補正したグレースケール画像データを、入力された映像データにフィードバックする。一例において、適応型画質補正部１１６は、入力された映像データのＨＳＶ色空間におけるＨ成分およびＳ成分に、補正したグレースケール画像データをＶ成分として合成することにより、フィードバックを行う。他の一例において、適応型画質補正部１１６は、入力された映像データのＨＬＳ色空間におけるＨ成分およびＳ成分に、補正したグレースケール画像データをＬ成分として合成することにより、フィードバックを行う。
【００６２】
図１０は、本開示に係る適応型画質補正後の映像Ｉ２の一例である。算出されたダイナミックレンジを元にＣＬＡＨＥを実施した結果、逆光時において、背景Ａ１は、より暗く補正（暗補正）され、被写体の上半身Ａ２および被写体の頭部Ａ３は、より明るく補正（明補正）される。また、逆光時においても、適度に大きいダイナミックレンジが確保されるので、在宅者は、訪問者のより明瞭な画像を視認することができる。
【００６３】
さらに、本開示に係る適応型画質補正は、映像の明暗が極端なコントラストの場合に一般的に使用される補正技術であるヒストグラム平滑化と異なり、極端な明部および暗部がある逆光映像に対して適用された結果、映像が破たんすることもない。
【００６４】
（実施の形態およびその効果）
本開示のドアホン親機は、玄関子機から映像データを入力する映像データ入力部と、前記映像データに含まれる画像を、前記画像の部分領域の明るさを示す特徴量に基づいてコントラスト補正する適応型画質補正部と、前記コントラスト補正された画像を表示する表示出力部と、を備え、前記部分領域は、前記画像の所定の座標を含み、前記部分領域の面積は、前記画像の面積の半分以下である。これにより、本開示のドアホン親機は、玄関子機の台数および設置場所に関わらず、玄関子機の環境に応じた、被写体の良好な画像を表示することができる。また、本開示のドアホン親機によれば、玄関子機に逆光補正値を設定するといった手間も削減することができる。
【００６５】
本開示のドアホン親機において、前記適応型画質補正部は、前記特徴量を算出し、前記特徴量に基づいて、ＣＬＡＨＥ（Contrast Limited Adaptive Histogram Equalization）で用いられるダイナミックレンジを決定し、前記コントラスト補正として、前記ダイナミックレンジを元に前記ＣＬＡＨＥを実施する。これにより、適応型画質補正部は、画像に極端な明部および暗部がある場合であっても、画像を破たんさせることなく補正することができる。
【００６６】
本開示のドアホン親機において、前記特徴量は、前記部分領域における輝度の平均値である。これにより、適応型画質補正部は、画像のＨＳＶ色空間におけるＶ成分やＨＬＳ色空間におけるＬ成分を用いて、特徴量を計算することができる。
【００６７】
本開示のドアホン親機において、前記所定の座標は、前記画像の中心である。これにより、適応型画質補正部は、画像の中心に映っていることが期待される訪問者をより明瞭にするように、画像を補正することができる。
【００６８】
本開示のドアホン親機において、前記部分領域の形状は、長方形であり、前記長方形の中心は、前記所定の座標であり、前記長方形の横幅および縦幅は、それぞれ、前記画像の横幅および縦幅の半分である。これにより、適応型画質補正部は、画像において訪問者が映っていることが期待される領域をより明瞭にするように、画像を補正することができる。
【００６９】
本開示のドアホン親機において、前記適応型画質補正部は、前記画像からグレースケール画像およびその他の成分画像を抽出し、前記グレースケール画像を前記コントラスト補正し、前記コントラスト補正された前記グレースケール画像と前記その他の成分画像とを合成する。これにより、適応型画質補正部は、モノクローム画像に加えて、カラー画像を補正することができる。
【００７０】
本開示の画像補正方法は、玄関子機から映像データを入力するステップと、前記映像データに含まれる画像を、前記画像の部分領域の明るさを示す特徴量に基づいてコントラスト補正するステップと、前記コントラスト補正された画像を表示するステップと、を備え、前記部分領域は、前記画像の所定の座標を含み、前記部分領域の面積は、前記画像の面積の半分以下である。これにより、本開示のドアホン親機は、玄関子機の台数および設置場所に関わらず、玄関子機の環境に応じた、被写体の良好な画像を表示することができる。また、本開示のドアホン親機によれば、玄関子機に逆光補正値を設定するといった手間も削減することができる。
【００７１】
上記の実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００７２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）、又は、ＬＳＩ内部の回路セルの接続や設定を再構成可能なリコンフィギュラブル・プロセッサーを利用してもよい。
【００７３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【００７４】
本開示に係るドアホン親機は、在宅者が屋外にいる訪問者の画像を屋内にある表示装置で確認しながら通話することができるテレビドアホンシステムに使用されるのに好適である。
【符号の説明】
【００７５】
１０  ドアホンシステム
１００  ドアホン親機
１１０  映像処理部
１１２  映像データ入力部
１１４  映像データデコード部
１１６  適応型画質補正部
１２０  表示出力部
１３０  音声処理部
１４０  音声出力部
１５０  音声入力部
１６０  呼制御部
１６２  着信処理部
１６４  待機処理部
１６６  通話処理部
２００  玄関子機
【図１】
2019080135.tif 000003
【図２Ａ】
2019080135.tif 000004
【図２Ｂ】
2019080135.tif 000005
【図３】
2019080135.tif 000006
【図４】
2019080135.tif 000007
【図５】
2019080135.tif 000008
【図６】
2019080135.tif 000009
【図７】
2019080135.tif 000010
【図８】
2019080135.tif 000011
【図９】
2019080135.tif 000012
【図１０】
2019080135.tif 000013